(57)【特許請求の範囲】
【請求項１】
縦方向に溝が形成されたウキ基体と、
前記ウキ基体の両端部にそれぞれ設けられ、前記溝の内部を縦に貫通する軸線を囲むように湾曲、或いは曲折された鈎状部材と
を含んでなり、
前記鈎状部材の一端部が前記溝の内部又は前記ウキ基体の表面に固定され、前記鈎状部材の他端部に、前記ウキ基体と前記鈎状部材との間に道糸が通過する開放部が形成され、
前記道糸が前記開放部を経由して、前記溝の内部の前記軸線に沿った位置に到達して収められることを特徴とする瞬間着脱式ウキ。
【請求項２】
前記ウキ基体の両端部に、前記鈎状部材を覆うようにそれぞれカバーが設けられ、該カバーに、前記軸線に向け且つ前記溝の深さ方向に切り込みが形成されて、前記溝に収められた前記道糸を前記開放部へ容易に接近させないようになしたことを特徴とする請求項1に記載のウキ。
【発明の詳細な説明】
【０００１】
【発明の属する技術分野】
本発明は魚釣りに使用する中通しタイプのウキであり、さらに詳しくは道糸を切断せずに着脱し得る中通しタイプのウキに関する。
【０００２】
【従来の技術】
魚釣りにおいて、海底から海面までの間のある一定の深さで魚を狙う、魚のアタリを視覚で確認する、等のためにはウキが用いられる。ウキを使用するウキ釣りには固定仕掛けと遊動仕掛けがある。固定仕掛けとはウキが道糸のある部分に固定され、ウキ下（ウキから針まで）の距離が固定されている仕掛けのことであり、魚を釣り上げる作業上、通常竿の長さ位の距離までしかウキ下を設定できない。
【０００３】
一方遊動仕掛けは、ウキ下をウキが自由に移動でき、ウキ止め（ウキを目的の深さで止めるための結び目）以下もリールで巻き取れるため、理論的にはどんなウキ下の距離でも対応でき、深い遊泳層の魚を狙える。
【０００４】
中通しタイプのウキとしては、円すいウキやドングリウキ等が挙げられる。図５に中通しタイプのウキ１０を使用したウキ釣りの概念図を示す。中通しタイプのウキとは、道糸１２がウキ１０の軸線を貫通する穴を通っており、固定仕掛けの固定ウキの場合は、ウキ１０を道糸１２に通した後、ウキ１０の下部の穴に爪楊枝などを差し込んで、任意の位置に固定する。遊動仕掛けの遊動ウキとする場合は、道糸１０のウキを止まらせたい位置にウキ止め糸１４を結んでおき、そのウキ止め糸を通過しない内径を持つシモリ玉１６という小さな玉を通し、ウキ１０がシモリ玉１６とサルカン１８又はオモリ２０の間を自由に移動できる仕組みになっている。サルカン１８のもう一方にはハリス２２が締結されている。
【０００５】
従って魚がかかり、道糸１２を巻き取る際、ウキ止め糸１４以下も巻き取ることができ、深い遊泳層の魚を引き上げるとき、その効果を発揮するものである。
【０００６】
通常、固定仕掛けのウキでも遊動仕掛けのウキでも、取り付けるには、サルカン１８で道糸１２とハリス２２を繋ぐ前に、道糸１２にウキやウキスイベル（スナップ付きのサルカンであり、後でウキを取り付けられる接続具）を通してから、サルカンを固定する。
【０００７】
ハリス２２と道糸１２を繋いだ後で、ウキを取り替えるときは、サルカン１８から道糸１２を切断しなければならない。ただしウキスイベルを使用している場合は、スナップ金具から外して付け替えるだけでよいが、後からウキスイベルを通す場合は、やはり一度サルカン１８から道糸１２を切断する必要がある。
【０００８】
釣り場において、実際に糸を垂れてみると、そのときの波の状態、狙う魚の大きさ、オモリとの加減などで、ウキを付け替えることはよくある。そのような場合、サルカンから道糸を切り、ウキを付け替え、また繋ぐという作業を行わなくてはならない。最適な状態を探し当てるまで、このような作業を繰り返すのは大変煩わしいことである。
【０００９】
【発明が解決しようとする課題】
前述したように、魚釣りの際、状況に応じてウキを取り替えることはよくあり、そのたびに道糸をサルカンから切断しなければならない。はじめにウキスイベルを使用していれば、ウキスイベルのスナップ部分での着脱が可能であるが、使用できるウキは棒ウキに限られる。
【００１０】
中通しタイプのウキについても棒ウキと同様に、道糸に通してからサルカンを繋いで取り付ける。そしてウキを付け替える場合は、棒ウキのようにウキスイベルを使用することができないため、必ず道糸を切断しなければならない。従って本発明者は中通しウキに係る上記問題の解決のため、道糸を切断することなく、着脱が可能な中通しウキを考案した。
【００１１】
本発明の目的は、ウキの着脱の際、道糸を切断する必要のない、中通しタイプのウキを提供し、釣り人の作業の短縮に貢献することにある。
【００１２】
【課題を解決するための手段】
上記目的を達成するため本発明者は、道糸の切断なく取り付け、取り外しができる中通しタイプのウキの構造に関して熟考した結果、本発明を完成するに至った。
【００１３】
すなわち本発明は、縦方向に溝が形成されたウキ基体と、前記ウキ基体の両端部にそれぞれ設けられ、前記溝の内部を縦に貫通する軸線を囲むように湾曲、或いは曲折された鈎状部材とを含んでなり、前記鈎状部材の一端部が前記溝の内部又は前記ウキ基体の表面に固定され、前記鈎状部材の他端部に、前記ウキ基体と前記鈎状部材との間に道糸が通過する開放部が形成され、前記道糸が前記開放部を経由して、前記溝の内部の前記軸線に沿った位置に到達して収められる瞬間着脱式ウキに関する。また、かかる瞬間着脱式ウキにおいて、前記ウキ基体の両端部に、前記鈎状部材を覆うようにそれぞれカバーが設けられ、該カバーに、前記軸線に向け且つ前記溝の深さ方向に切り込みが形成されて、前記溝に収められた前記道糸を前記開放部へ容易に接近させないようになしたことにある。
【００１４】
上記のウキ基体において、溝の内部を縦に貫通する軸線とは、ウキが水面上に起立した状態における上下方向の軸線を意味する。
【００１５】
上記の「鈎状部材」は、ウキ基体の外からの道糸は鈎に沿って溝の内部へ滑り入れられるが、ウキ基体内部の道糸を容易にウキから出さないように湾曲、或いは曲折された構造を持ち、この鈎状部材の一端部がウキ基体に固定されている。また「開放部」とは、道糸がウキ内部へ入る際に通過する鈎状部材の他端部とウキ基体の間の部分であり、道糸が通過できるならば、その間は接触していても良い。
【００１６】
道糸をウキ基体と鈎状部材との間に形成される開放部へ容易に接近させないために、ウキ基体が備えることとなるカバーは、ウキ中の道糸がそのウキの軸線近傍に留まるようにする効果も含む。
【００１７】
上記のような条件が達成されたウキを魚釣りの際に使用すれば、従来までは道糸を切断して行っていた中通しウキの付け替えを、素早く、手軽に、その上道糸を切る必要なく、行うことが可能であるため、釣り人の手間を省き、また道糸の締結に慣れない初心者には、気軽に魚釣りを楽しむためのウキとなることが期待できる。
【００１８】
【発明の実施の形態】
次に、本発明に係わる魚釣りに使用するウキの実施の形態について詳述する。
【００１９】
本発明によるウキは、固定ウキにも遊動ウキにも対応する、手軽に着脱できる中通しタイプのウキである。その構造を以下に説明する。
【００２０】
図１に本発明にかかる中通しタイプのウキの構造の一例を挙げる。ウキ基体３０は、ウキ基体３０の縦方向に溝２５が形成されている。そしてウキ基体３０の両端部、図１ではウキ基体３０の上部と下部に位置する溝２５の内部に一カ所ずつ、溝２５の内部を縦に貫通する軸線２４を囲むように湾曲、或いは曲折された鈎状部材２８がその一端部で固定され、道糸１２が鈎状部材２８の他端部とウキ基体３０との間に形成された開放部２９を通過して、溝２５の内部の軸線２４に沿った位置に到達して納められることによって、ウキが道糸に取り付けられる。
【００２１】
鈎状部材２８が取り付けられるウキ基体３０の上部及び下部に位置する溝２５の部分は、この例の場合、鈎状部材２８が収まるくらいの大きさに合わせて、溝２５の内面が削成されている。
【００２２】
また、ウキ基体３０の両端部には、鈎状部材２８を覆うようにそれぞれカバー２６を備えている。このカバー２６には、軸線２４に向け且つ溝２５の深さ方向に切り込みが形成されており、鈎状部材２８の外側にカバー２６を備えることによって、溝２５に収められた道糸１２が、ウキ基体３０と鈎状部材２８との間に形成される開放部２９へ容易に接近しないようになされることとなる。
【００２３】
図１の（ｃ）に、道糸１２がどのようにウキ基体３０に取り込まれるかを示す。図中では鈎状部材２８と道糸１２の様子を示すためにカバー２６を外した状態を示す。道糸１２がウキ基体３０の溝２５に差し込まれ、鈎状部材２８に行き当たる。そのままさらに道糸１２をウキ基体３０の軸線２４方向へ差し込むと、道糸１２は鈎状部材２８の湾曲面に沿って、ウキ基体３０の内面と鈎状部材２８との間に形成された開放部２９を通過し、鈎状部材２８の内側へ入り、ウキ基体３０の軸線２４付近に収まる。
【００２４】
カバー２６は、溝２５に合わせた隙間を有する切り込み、つまり軸線２４に向け且つ溝２５の深さ方向に形成される切り込みによって、道糸１２のウキ内部での遊びをできるだけ小さくし、上記のように一旦ウキ基体３０の軸線２４近傍に収まった道糸１２を、開放部２９へ容易に接近させない効果を有す。従って道糸１２は鈎状部材２８とウキ基体３０の溝２５で囲まれた範囲で収められる。
【００２５】
上記が本発明に係る中通しタイプのウキの構造の一例であるが、次にその使用方法を述べる。
【００２６】
図２に、カバーを取り去った状態のウキにて、道糸の通し方、外し方を表す。ウキ基体３０の溝２５へ、道糸１２を導き入れる（同図（ａ）参照）。道糸１２をウキ基体３０の中心方向へ差し込むと、道糸１２が鈎状部材２８の湾曲面に沿って滑り、ウキ基体３０と鈎状部材２８との間に形成される開放部２９を通過し、道糸１２がウキ基体３０の軸線２４近くに収まり、ウキが道糸１２に取り付けられる（同図（ｂ）参照）。
【００２７】
構造をわかりやすくするため、図中ではカバー２６を図示していないが、カバー２６の溝２５に合わせた切り込みと、鈎状部材２８が形成する貫通孔に、道糸１２が収められる。よって道糸１２が、ウキ基体３０と鈎状部材２８との間に形成される開放部２９へ接近して、ウキが道糸１２から外れるのを防ぐ。
【００２８】
ウキを道糸１２から取り外すときは、ウキから出ている道糸１２の片方を半回転折り曲げ、取り付ける時と同様にウキ基体３０の溝２５へ導き入れ（同図（ｃ）参照）、開放部２９へ滑り込ませ、ウキ内部へ取り込む（同図（ｅ）参照）。その後道糸１２を引き抜き、ウキを道糸１２から取り外す。
【００２９】
上記取り外し作業を簡便にする目的で、溝２５の端部のどちらか片方に、突起物を設けることもできる。図２（ｆ）は、図２（ｃ）の状態において、道糸１２の輪を突起物３２に掛けて図２（ｄ）の状態へ移行させ得ることを表す。
【００３０】
本発明に係る中通しタイプのウキの鈎状部材２８は、ウキ基体３０の外からの道糸１２は、鈎に沿ってウキ内部へ滑り入れられるが、一旦ウキ基体３０内部へ取り入れられた道糸１２を、容易には外さない構造を有していれば、いかなる形態のものでも良い。図３に鈎状部材２８の形態の例を示した。図３に示されたウキは、ウキの軸線２４方向の正面からみた状態を表す。なお、カバー２６は取り去った状態で示す。
【００３１】
鈎状部材２８は、ウキ基体３０の溝２５の内部に固定されても良いし（図３（ａ）、（ｂ）、（ｃ）参照）、ウキ基体３０表面に固定され、鈎の先端、つまり鈎状部材２８の他端部が溝２５に入り込む形を取っても良い（同図（ｄ）参照）。またその形状は三日月型に湾曲した形（同図（ａ）、（ｄ）参照）、軸線をくるむように湾曲した形（同図（ｂ）参照）、直線的な角度を持つ形（同図（ｃ）参照）をとってもよい。
【００３２】
また鈎状部材２８の鈎の先端は、取り入れた道糸１２が容易に外れないように、ウキ基体３０の外側に向かって、やや反っていても良い。
【００３３】
鈎状部材２８のウキ基体３０への固定は、鈎状部材２８の固定部が基体３０に嵌挿される、接着されるなどの方法をとる。またその接着剤は淡水、海水に耐性があればどんなものでも選択され得る。
【００３４】
ウキ基体の材質は、ウキとして使用できる浮力を持つものであるならば、どんなもので選択され得る。通常は、桐、コルク、各種樹脂、各種発泡樹脂、中空金属等が用いられる。
【００３５】
ウキ本体に発光体を取り付け、夜釣り用ウキとすることもできる。
【００３６】
図４に本発明に係る魚釣り用のウキを、夜釣り用ウキに応用した一実施例を挙げる。ウキを水面上に浮かべたときのウキ上部へ、ケミホタル（登録商標、株式会社ルミカ製）を取り付けるための溝３４を設け、ウキ使用時にケミホタル３６を設置する。
【００３７】
ウキ本体の浮力の調整は、鉛を使用し、ウキ基体３０に穴を空けて埋め込む、はめ込む、ウキ基体外側へ張り付ける等が挙げられる。
【００３８】
【発明の効果】
本発明に係る魚釣りに使用するウキは、以上説明したように、中通しタイプのウキを付け替える際、道糸の切断、締結等の作業を省略できる。このため、釣り人の労力を削減し、また初心者にとっては、気軽にウキ釣りを行える便利な道具として使用されると期待できる。
【図面の簡単な説明】
【図１】本発明によるウキの一実施例を示し、（ａ）は斜視図、（ｂ）は溝を正面にしたときの断面図、（ｃ）は道糸の通り方を示す平面図である。
【図２】（ａ）〜（ｅ）は本発明によるウキの着脱方法を示す斜視図であり、（ｆ）は突起物を設けて道糸を外しやすくする場合を示す斜視図である。
【図３】（ａ）〜（ｄ）は本発明によるウキの鈎状部材の形態を表す平面図である。
【図４】本発明によるウキの他の一実施例を示し、（ａ）は斜視図、（ｂ）は溝を正面にしたときの断面図である。
【図５】ウキ釣りのための基本的な仕掛けを示す概念図である。
【符号の説明】
１０    中通しタイプのウキ
１２    道糸
１４    ウキ止め糸
１６    シモリ玉
１８    サルカン
２０    オモリ
２２    ハリス
２４    ウキの軸線
２５    ウキ基体の溝
２６    カバー
２８    鈎状部材
２９    開放部
３０    ウキ基体
３２    道糸外し用突起物
３４    発光体取り付け用溝
３６    発光体（ケミホタル）
【図１】
0003541242.tif 000002
【図２】
0003541242.tif 000003
【図３】
0003541242.tif 000004
【図４】
0003541242.tif 000005
【図５】
0003541242.tif 000006